(57)【要約】【課題】アナログデータ等の第１データを受付けた場合、受付けた第１データを変換したデジタルデータ等の第２データを、自動的に送出することができるデータ変換装置及び通信システムを提供する。【解決手段】ビデオユニット２０からアナログデータを受付けるアナログ伝送部１４と、受付けたアナログデータをデジタルデータに変換するＡＤ変換部１６と、デジタルデータを送出する１３９４伝送部１８と、アナログデータを受付けたことを検出する比較回路１５と、アナログデータの受付が検出された場合、ＡＤ変換部１６で変換されたデジタルデータを表示ユニット３０に送出するように、１３９４伝送部１８を制御するマイクロコンピュータ１２とを備えたメディアコンバータ１０を用いてデータを変換及び送出する。【選択図】　　　　図１
2004088495.tif 000002
【特許請求の範囲】
【請求項１】
車両に搭載され、車両内で使用されるデータを変換するデータ変換装置において、
第１データを受付ける受付手段と、
受付けた第１データを、第１データとは種類が異なる第２データに変換する変換手段と、
第２データを送出する送出手段と、
受付手段が第１データを受付けたことを検出する検出手段と、
第１データの受付が検出された場合、変換手段で変換された第２データを送出するように、送出手段を制御する送出制御手段と
を備えることを特徴とするデータ変換装置。
【請求項２】
車両に搭載され、車両内で使用されるデータを変換するデータ変換装置において、
アナログデータを受付ける受付手段と、
受付けたアナログデータをデジタルデータに変換する変換手段と、
デジタルデータを送出する送出手段と、
受付手段がアナログデータを受付けたことを検出する検出手段と、
アナログデータの受付が検出された場合、変換手段で変換されたデジタルデータを送出するように、送出手段を制御する送出制御手段と
を備えることを特徴とするデータ変換装置。
【請求項３】
車両に搭載され、車両内で使用されるデータを変換するデータ変換装置において、
アナログデータを受付ける受付手段と、
受付けたアナログデータをデジタルデータに変換する変換手段と、
デジタルデータを送出する送出手段と、
受付手段がアナログデータを受付けたことを検出する検出手段と、
アナログデータの受付が検出されない場合、デジタルデータの送出を停止するように、送出手段を制御する送出制御手段と
を備えることを特徴とするデータ変換装置。
【請求項４】
前記受付手段が受付けたアナログデータ値とアナログ基準値とを比較する第１比較手段を備え、
前記検出手段は、受付けたアナログデータ値がアナログ基準値を超えているか否かに基づいて、アナログデータの受付の有無を検出すべくなしてあることを特徴とする請求項２又は３記載のデータ変換装置。
【請求項５】
前記変換手段で変換されたデジタルデータ値とデジタル基準値とを比較する第２比較手段を備え、
前記検出手段は、変換されたデジタルデータ値がデジタル基準値を超えているか否かに基づいて、アナログデータの受付の有無を検出すべくなしてあることを特徴とする請求項２又は３記載のデータ変換装置。
【請求項６】
車両内で第１データを送出する第１装置と、車両内で第１データとは種類が異なる第２データを受付ける第２装置と、車両に搭載され、第１装置及び第２装置と接続され、第１データを第２データに変換するデータ変換装置とが接続された通信システムにおいて、
データ変換装置は、
第１データを受付ける受付手段と、
受付けた第１データを第２データに変換する変換手段と、
第２データを送出する送出手段と、
受付手段が第１データを受付けたことを検出する検出手段と、
第１データの受付が検出された場合、変換手段で変換された第２データを第２装置に送出するように、送出手段を制御する送出制御手段と
を備えることを特徴とする通信システム。
【発明の詳細な説明】
【０００１】
【発明の属する技術分野】
本発明は、車両に搭載され、アナログデータをデジタルデータに変換する等のデータ変換を行うデータ変換装置、およびデータ変換装置が接続された通信システムに関する。
【０００２】
【従来の技術】
複数の機器を備える装置、機械、乗物又は設備等においては、各機器を互いに接続して通信ネットワークを形成することが多い。例えば、自動車に搭載された車載機器を接続して、車載ネットワークを形成すること等が行われている。車載ネットワークは、例えばＩＥＥＥ（ｉｎｓｔｉｔｕｔｅ　　ｏｆ　　ｅｌｅｃｔｒｉｃａｌ　　ａｎｄ　ｅｌｅｃｔｒｏｎｉｃ　ｅｎｇｉｎｅｅｒｓ）１３９４に準拠しており、デジタルデータが各車載機器間で伝送される。車載ネットワークが追加接続用ポートを備えている場合、ＩＥＥＥ１３９４に対応する機器を追加接続することも可能である。また、例えばアナログデータをデジタルデータに変換、及び／又は、デジタルデータをアナログに変換するメディアコンバータが車載ネットワークに接続されている場合、アナログデータしか入力及び／又は出力できない機器を追加接続することも可能である。
【０００３】
図５に、メディアコンバータ１が接続された車載ネットワークの例を示す。図５の例では、ＩＥＥＥ１３９４に準拠した車載ネットワークに、操作スイッチ等を備える操作ユニット４０、液晶パネル等を備える表示ユニット３０及びメディアコンバータ１が接続されている。また、図５の例では、メディアコンバータ１に、コンポジットビデオ信号又はコンポーネントビデオ信号等のアナログデータを出力するビデオユニット２０が追加接続されている。メディアコンバータ１は、例えばビデオユニット２０から受付けたアナログビデオデータ（アナログデータ）をデジタルビデオデータ（デジタルデータ）に変換し、変換したデジタルデータを表示ユニット３０に送ることが可能である。
【０００４】
【発明が解決しようとする課題】
しかし、メディアコンバータ１で変換されたデジタルデータを表示ユニット３０に送るためには、操作ユニット４０を操作して、メディアコンバータ１及び表示ユニット３０に夫々データ伝送の指示を与える必要がある。例えば図６に示すように、ビデオユニット２０の再生スイッチを押す等してビデオユニット２０からメディアコンバータ１にアナログデータを送る（図６の矢印＜１＞）。その後、操作ユニット４０を操作して、操作ユニット４０から表示ユニット３０に受信指示を送る（図６の矢印＜２＞）と共に、操作ユニット４０からメディアコンバータ１に送信指示を送る（図６の矢印＜３＞）。送信指示を受取ったメディアコンバータ１と受信指示を受取った表示ユニット３０との間で、例えばＩＥＥＥ１３９４の等時性（Ｉｓｏｃｈｒｏｎｏｕｓ）データ伝送に関するネゴシエーションが行われる（図６の矢印＜４＞）。ネゴシエーションの完了後、メディアコンバータ１から表示ユニット３０に、変換されたデジタルデータが伝送される（図６の矢印＜５＞）。
【０００５】
このように、メディアコンバータ１に接続したビデオユニット２０の出力画像を表示ユニット３０に表示するために、ビデオユニット２０の操作に加えて、操作ユニット４０からメディアコンバータ１及び表示ユニット３０への指示操作を夫々行う必要がある。メディアコンバータ１を使用したデータ伝送は煩雑な操作が必要である。
【０００６】
本発明は斯かる事情に鑑みてなされたものであり、アナログデータ等の第１データを受付けたことを検出手段で検出し、受付けた第１データを変換したデジタルデータ等の第２データを、送出制御手段によって自動的に送出することができるデータ変換装置を提供することを目的とする。
【０００７】
また、本発明は、アナログデータの受付けが無い場合、デジタルデータの送出を、送出制御手段によって自動的に停止することができるデータ変換装置を提供することを他の目的とする。
【０００８】
また、本発明は、第１比較手段又は第２比較手段によって、ノイズ等の悪影響を低減してアナログデータの受付の有無を検出することができるデータ変換装置を提供することを他の目的とする。
【０００９】
また、本発明は、第１データを受付けた場合、受付けた第１データを変換した第２データを、データ変換装置から第２装置に自動的に送出することができる通信システムを提供することを他の目的とする。
【００１０】
【課題を解決するための手段】
第１発明に係るデータ変換装置は、車両に搭載され、車両内で使用されるデータを変換するデータ変換装置において、第１データを受付ける受付手段と、受付けた第１データを、第１データとは種類が異なる第２データに変換する変換手段と、第２データを送出する送出手段と、受付手段が第１データを受付けたことを検出する検出手段と、第１データの受付が検出された場合、変換手段で変換された第２データを送出するように、送出手段を制御する送出制御手段とを備えることを特徴とする。
【００１１】
第２発明に係るデータ変換装置は、車両に搭載され、車両内で使用されるデータを変換するデータ変換装置において、アナログデータを受付ける受付手段と、受付けたアナログデータをデジタルデータに変換する変換手段と、デジタルデータを送出する送出手段と、受付手段がアナログデータを受付けたことを検出する検出手段と、アナログデータの受付が検出された場合、変換手段で変換されたデジタルデータを送出するように、送出手段を制御する送出制御手段とを備えることを特徴とする。
【００１２】
第３発明に係るデータ変換装置は、車両に搭載され、車両内で使用されるデータを変換するデータ変換装置において、アナログデータを受付ける受付手段と、受付けたアナログデータをデジタルデータに変換する変換手段と、デジタルデータを送出する送出手段と、受付手段がアナログデータを受付けたことを検出する検出手段と、アナログデータの受付が検出されない場合、デジタルデータの送出を停止するように、送出手段を制御する送出制御手段とを備えることを特徴とする。
【００１３】
第４発明に係るデータ変換装置は、第２又は第３発明において、前記受付手段が受付けたアナログデータ値とアナログ基準値とを比較する第１比較手段を備え、前記検出手段は、受付けたアナログデータ値がアナログ基準値を超えているか否かに基づいて、アナログデータの受付の有無を検出すべくなしてあることを特徴とする。
【００１４】
第５発明に係るデータ変換装置は、第２又は第３発明において、前記変換手段で変換されたデジタルデータ値とデジタル基準値とを比較する第２比較手段を備え、前記検出手段は、変換されたデジタルデータ値がデジタル基準値を超えているか否かに基づいて、アナログデータの受付の有無を検出すべくなしてあることを特徴とする。
【００１５】
第６発明に係る通信システムは、車両内で第１データを送出する第１装置と、車両内で第１データとは種類が異なる第２データを受付ける第２装置と、車両に搭載され、第１装置及び第２装置間に接続され、第１データを第２データに変換するデータ変換装置とが接続された通信システムにおいて、データ変換装置は、第１データを受付ける受付手段と、受付けた第１データを第２データに変換する変換手段と、第２データを送出する送出手段と、受付手段が第１データを受付けたことを検出する検出手段と、第１データの受付が検出された場合、変換手段で変換された第２データを第２装置に送出するように、送出手段を制御する送出制御手段とを備えることを特徴とする。
【００１６】
第１又は第２発明においては、受付手段で例えばアナログデータ等の第１データを受付けた場合、変換手段により、第１データは例えばデジタルデータ等の第２データに変換される。また、受付手段で第１データを受付けた場合、検出手段により、第１データを受付けたことが検出され、送出制御手段により、送出手段を制御して、変換手段で変換された第２データを送出する。
【００１７】
第３発明においては、受付手段で受付けたアナログデータは、変換手段により、デジタルデータに変換される。また、受付手段でアナログデータを受付けたことは、検出手段で検出される。アナログデータの受付が検出されない場合、送出制御手段により、送出手段を制御して、デジタルデータの送出を停止させる。
【００１８】
第４発明においては、第１比較手段により、受付手段が受付けたアナログデータ値とアナログ基準値とを比較する。検出手段は、受付けたアナログデータ値がアナログ基準値を超えていることにより、アナログデータを受付けたことを検出する。
【００１９】
第５発明においては、第２比較手段により、受付手段が受付けたアナログデータを変換手段で変換したデジタルデータ値と、デジタル基準値とを比較する。検出手段は、変換されたデジタルデータ値がデジタル基準値を超えていることにより、アナログデータを受付けたことを検出する。
【００２０】
第６発明においては、受付手段で受付けた第１データは、変換手段により、第２データに変換される。また、受付手段で第１データを受付けた場合、検出手段により、第１データを受付けたことが検出され、送出制御手段により、送出手段を制御して、変換手段で変換された第２データを第２装置に送出する。
【００２１】
【発明の実施の形態】
以下、本発明をその実施の形態を示す図面に基づいて具体的に説明する。本発明においては、自動車に搭載された車載ネットワーク（通信システム）に接続されたメディアコンバータ（データ変換装置）を例にして説明する。また、アナログデータからデジタルデータへの変換を例にして説明する。
【００２２】
図１に、本発明に係るメディアコンバータ１０が接続された車載ネットワークの例を示す。図１の例では、例えばＩＥＥＥ１３９４に準拠した車載ネットワークに、液晶パネル等を備える表示ユニット３０とメディアコンバータ１０とが接続されている。また、図１の例では、メディアコンバータ１０に、コンポジットビデオ信号又はコンポーネントビデオ信号等のアナログビデオデータを出力するビデオユニット２０が接続されている。
【００２３】
メディアコンバータ１０は、ビデオユニット２０が接続され、ビデオユニット２０からアナログビデオデータ（アナログデータ）を受付けるアナログ伝送部（受付手段）１４と、アナログ伝送部１４に接続され、アナログ伝送部１４で受付けたアナログデータをデジタルデータ（デジタルビデオデータ）に変換するＡＤ変換部（変換手段）１６と、ＡＤ変換部１６及び表示ユニット３０に接続され、ＡＤ変換部１６で変換されたデジタルデータを表示ユニット３０に送出する１３９４伝送部（送出手段）１８と、アナログ伝送部１４，ＡＤ変換部１６及び１３９４伝送部１８に接続され、前記各部１４，１６及び１８の制御、受付けたコマンド（命令）の解読、コマンドの作成、および演算処理等の各種処理を行うマイクロコンピュータ１２とを備える。
【００２４】
１３９４伝送部１８は、例えば伝送するデータをパケット化したり、データ伝送前に伝送帯域又はチャネル番号等のネゴシエーションを行う等して、ＩＥＥＥ１３９４に準拠したデータ伝送を行う。アナログ伝送部１４は、例えばテレビのビデオ入力端子と同様の端子を備え、アナログビデオデータ（アナログデータ）の入力を受付け、例えばインピーダンスマッチング又は波形整形等を行う。また、アナログ伝送部１４は、ビデオユニット２０から受付けたアナログデータ値とアナログ基準値とを比較する比較回路（第１比較手段）１５を備える。アナログ基準値は、例えばノイズよりも若干大きい程度の値であり、図示しない基準値生成回路で生成される。比較回路１５は、アナログ伝送部１４がアナログデータを受付けたことを検出する手段（検出手段）として動作する。比較回路１５は、受付けたアナログデータがアナログ基準値を超えている場合、入力検出信号をマイクロコンピュータ１２に送る。
【００２５】
マイクロコンピュータ１２は、アナログデータの受付が検出された場合、ＡＤ変換部１６で変換されたデジタルデータを送出するように、１３９４伝送部１８を制御する手段（送出制御手段）として動作する。マイクロコンピュータ１２は、比較回路１５から入力検出信号を受付けた場合、変換されたデジタルデータの伝送指示を１３９４伝送部１８に送り、１３９４伝送部１８から表示ユニット３０に、ＡＤ変換部１６で変換されたデジタルデータを伝送させる。マイクロコンピュータ１２は、例えば映像データを伝送する場合は、表示ユニット３０を伝送先とし、音声データを伝送する場合は、スピーカ（図示していない）を伝送先にする。ビデオユニット２０をメディアコンバータ１０に接続する場合、表示ユニット３０等の伝送先は、例えばマイクロコンピュータ１２内蔵のＲＯＭ（ｒｅａｄ　ｏｎｌｙ　ｍｅｍｏｒｙ）等に予め設定しておくことが可能である。
【００２６】
また、マイクロコンピュータ１２は、アナログデータの受付が検出されない場合、デジタルデータの送出を停止するように、１３９４伝送部１８を制御する手段（送出制御手段）として動作する。マイクロコンピュータ１２は、比較回路１５からの入力検出信号の受付が無くなった場合、変換されたデジタルデータの伝送停止指示を１３９４伝送部１８に送り、１３９４伝送部１８から表示ユニット３０へのデジタルデータの伝送を停止させる。
【００２７】
表示ユニット３０はＩＥＥＥ１３９４に準拠したデータ伝送を行う１３９４伝送部３２を備える。表示ユニット３０の１３９４伝送部３２は、液晶ディスプレイ等の表示装置本体とメディアコンバータ１０の１３９４伝送部１８とに接続されており、メディアコンバータ１０から受付けたデジタルビデオデータ等のデジタルデータを液晶ディスプレイ等に出力する。
【００２８】
ビデオユニット２０は、例えばビデオデッキのビデオ出力端子と同様の接続端子を有するアナログ伝送部２２を備える。ビデオユニット２０のアナログ伝送部２２は、ビデオデッキ本体とメディアコンバータ１０のアナログ伝送部１４とに接続されており、ビデオデッキ本体から出力されたコンポジットビデオ信号等のアナログデータをメディアコンバータ１０に伝送することが可能である。
【００２９】
次に、本発明に係るメディアコンバータを用いたデータ変換について説明する。本例では、ビデオユニット２０から入力されたアナログデータの変換及び変換後のデジタルデータの表示ユニット３０への伝送を例にして説明する。図２（ａ）に、ビデオユニット２０からメディアコンバータ１０へのアナログデータの伝送が開始されたときのデジタルデータ伝送の開始手順の例を示す。
【００３０】
まず、ビデオユニット２０の再生スイッチを押す等してビデオユニット２０からメディアコンバータ１０にアナログデータを送る（図２（ａ）の矢印＜１＞）。送られたアナログデータを受付けたアナログ伝送部１４の比較回路１５は、受付けたアナログデータがアナログ標準値を超えているため、マイクロコンピュータ１２に入力検出信号を送る（図２（ａ）の矢印＜２＞）。入力検出信号を受付けたマイクロコンピュータ１２は、１３９４伝送部１８に、ＡＤ変換部１６で変換されたデジタルデータの表示ユニット３０への伝送を指示する。
【００３１】
マイクロコンピュータ１２から伝送の指示を受付けた１３９４伝送部１８は、表示ユニット３０（１３９４伝送部３２）との間で、例えばＩＥＥＥ１３９４のＩｓｏｃｈｒｏｎｏｕｓデータ伝送に関するネゴシエーションを行う（図２（ａ）の矢印＜３＞）。ネゴシエーションの完了後、メディアコンバータ１０から表示ユニット３０に、変換されたデジタルデータが伝送される（図２（ａ）の矢印＜４＞）。表示ユニット３０には、伝送されたデジタルデータ（デジタルビデオデータ）が表示される。
【００３２】
次に、ビデオユニット２０からメディアコンバータ１０へのアナログデータ伝送が停止されたときのデジタルデータ伝送の停止手順の例を図２（ｂ）に示す。
ビデオユニット２０の再生停止スイッチを押す、またはビデオユニット２０とメディアコンバータ１０との接続を切断する等してビデオユニット２０からメディアコンバータ１０へのアナログデータ伝送を停止する（図２（ｂ）の矢印＜１＞）。アナログ伝送部１４の比較回路１５は、受付けたアナログデータがアナログ標準値以下になっているため、マイクロコンピュータ１２へは入力検出信号を送らない（図２（ｂ）の矢印＜２＞）。入力検出信号の受付が無くなったマイクロコンピュータ１２は、１３９４伝送部１８に、表示ユニット３０へのデジタルデータの伝送停止を指示する。
【００３３】
マイクロコンピュータ１２から伝送停止の指示を受付けた１３９４伝送部１８は、表示ユニット３０（１３９４伝送部３２）との間で、例えばＩＥＥＥ１３９４のＩｓｏｃｈｒｏｎｏｕｓデータ伝送の停止に関するネゴシエーションを行う（図２（ｂ）の矢印＜３＞）。ネゴシエーションにより、メディアコンバータ１０から表示ユニット３０へのデジタルデータの伝送が停止される（図２（ｂ）の矢印＜４＞）。
【００３４】
上述した実施の形態では、メディアコンバータ１０のアナログ伝送部１４の比較回路１５により、受付けたアナログデータとアナログ基準値とを比較したが、ＡＤ変換部１６で変換されたデジタルデータとデジタル基準値とを比較して、アナログデータの受付の有無を検出することも可能である。図３に、変換されたデジタルデータとデジタル基準値とを比較するメディアコンバータ１０の例を示す。
【００３５】
図３の例では、マイクロコンピュータ１２に内蔵されているＲＯＭ（ｒｅａｄ　ｏｎｌｙ　ｍｅｍｏｒｙ）にデジタル基準値が記憶されており、ＡＤ変換部１６で変換されたデジタルデータを、マイクロコンピュータ１２から参照する。マイクロコンピュータ１２は、ビデオユニット２０から受付けたアナログデータをＡＤ変換部１６で変換したデジタルデータ値と、デジタル基準値とを比較する手段（第２比較手段）として動作する。また、マイクロコンピュータ１２は、アナログ伝送部１４がアナログデータを受付けたことを検出する手段（検出手段）として動作する。マイクロコンピュータ１２は、デジタルデータがデジタル基準値を超えている場合、アナログ伝送部１４がアナログデータを受付けたと判定する。また、マイクロコンピュータ１２は、デジタルデータがデジタル基準値以下の場合、アナログ伝送部１４はアナログデータを受付けていないと判定する。
【００３６】
マイクロコンピュータ１２は、アナログデータを受付けたと判定した場合、変換されたデジタルデータの伝送指示を１３９４伝送部１８に送り、１３９４伝送部１８から表示ユニット３０に、ＡＤ変換部１６で変換されたデジタルデータを伝送させる。また、アナログデータを受付けていないと判定した場合、デジタルデータの伝送停止の指示を１３９４伝送部１８に送り、１３９４伝送部１８から表示ユニット３０へのデジタルデータの伝送を停止させる。
【００３７】
また、従来（図５）と同様に、車載ネットワークに操作ユニット（図示せず）が接続されている場合、メディアコンバータ１０から表示ユニット３０へのデジタル伝送の停止を、操作ユニットで指示することも可能である。例えば、図４に示すように、操作ユニットの停止スイッチを押す等して、操作ユニットからメディアコンバータ１０に、デジタルデータの伝送停止を指示する（図４の矢印＜１＞）。操作ユニットから伝送停止の指示を受付けたメディアコンバータ１０は、表示ユニット３０との間で、例えばＩＥＥＥ１３９４のＩｓｏｃｈｒｏｎｏｕｓデータ伝送の停止に関するネゴシエーションを行う（図４の矢印＜２＞）。ネゴシエーションにより、メディアコンバータ１０から表示ユニット３０へのデジタルデータの伝送が停止される（図４の矢印＜３＞）。
【００３８】
上述した実施の形態においては、ビデオデータの変換を例にして説明したが、ビデオデータに限定はされず、オーディオデータ等の任意のデータの変換を行うことも勿論可能である。オーディオデータは、ビデオデータと同様にビデオユニット２０から出力され、メディアコンバータ１０を介して、例えば車載ネットワークに接続された図示しないスピーカに伝送される。
【００３９】
また、上述した実施の形態においては、アナログデータからデジタルデータへの変換を例にして説明したが、デジタルデータからアナログデータへの変換を行うことも勿論可能である。例えば、車載ネットワークに接続されたＤＶＤプレーヤから出力されたデジタルデータを、メディアコンバータでアナログデータに変換し、アナログビデオ入力端子を備えたテレビに伝送することが可能である。
【００４０】
また、メディアコンバータは、アナログデータとデジタルデータとの変換に限定はされず、例えば異なる通信規格で伝送されているデータ又は異なるフォーマット（形式）のデータ等の種類の異なる任意の第１データと第２データとの変換を行うことが可能である。第１データを出力及び／又は入力する第１装置と第２データを出力及び／又は入力する第２装置とは、上述したビデオユニット、表示ユニット、スピーカ、ＤＶＤプレーヤ又はテレビ等に限定はされず、任意の装置を用いることが可能である。
【００４１】
また、上述した実施の形態においては、自動車に搭載された車載ネットワークに接続されたメディアコンバータを例にして説明したが、複数の機器を備える装置、機械、乗物又は設備等に搭載された通信システムに本発明を適用することが可能である。
【００４２】
【発明の効果】
第１又は第２発明によれば、例えばアナログデータ等の第１データを受付けたことを検出手段で検出した場合、受付けた第１データを変換手段で変換した例えばデジタルデータ等の第２データを、送出制御手段により自動的に送出手段から送出することができる。
【００４３】
第３発明によれば、アナログデータの受付が無いことを検出手段で検出した場合、送出制御手段により、送出手段からのデジタルデータの送出を自動的に停止することができる。
【００４４】
第４又は第５発明によれば、受付けたアナログデータ値又は受付けたアナログデータを変換したデジタルデータ値がアナログ基準値又はデジタル基準値を超えているか否かに基づいて、アナログデータの受付の有無を検出することができる。ノイズ等の悪影響を低減してアナログデータの受付の有無を検出することができる。
【００４５】
第６発明によれば、第１データを受付けたことを検出手段で検出した場合、受付けた第１データを変換手段で変換した第２データを、送出制御手段により、データ変換装置から第２装置に自動的に送出することができる。
【図面の簡単な説明】
【図１】本発明に係るメディアコンバータ（データ変換装置）を備えた車載ネットワーク（通信システム）の例を示すブロック図である。
【図２】メディアコンバータから表示ユニットへのデータ伝送手順の概略を示す図であり、（ａ）はデータ伝送の開始手順の例を示し、（ｂ）はデータ伝送の停止手順を示す。
【図３】メディアコンバータの他の例を示すブロック図である。
【図４】メディアコンバータから表示ユニットへのデータ伝送の停止手順の他の例を示す図である。
【図５】データ変換装置を備えた通信システムの例を示すブロック図である。
【図６】従来のメディアコンバータから表示ユニットへのデータ伝送の開始手順の例を示す図である。
【符号の説明】
１０　メディアコンバータ（データ変換装置）
１２　マイクロコンピュータ（送出制御手段、第２比較手段、検出手段）
１４　アナログ伝送部（受付手段）
１５　比較回路（第１比較手段、検出手段）
１６　ＡＤ変換部（変換手段）
１８　１３９４伝送部（送出手段）
２０　ビデオユニット（第１装置）
３０　表示ユニット（第２装置）
【図１】
2004088495.tif 000003
【図２】
2004088495.tif 000004
【図３】
2004088495.tif 000005
【図４】
2004088495.tif 000006
【図５】
2004088495.tif 000007
【図６】
2004088495.tif 000008